(57)【要約】【課題】許容される回路部品の温度の上限値が高い回路装置を提供する。【解決手段】電気接続箱では、板状の導電体２２が板状の放熱体２３の上面２３ａに絶縁部材２４を介して載置されている。放熱体２３の上面２３ａにおいて、導電体２２が載置されている場所とは異なる場所に断熱部材２６が載置されている。ＦＥＴ４は導電体２２に電気的に接続されている。ＦＥＴ４に電流が流れた場合、ＦＥＴ４は発熱する。ＦＥＴ４の動作を制御する制御信号を出力するマイコン５１は、回路基板２５の上面に接続され、回路基板２５を介して断熱部材２６と対向している。【選択図】図７
2018170461.tif 000002
【特許請求の範囲】
【請求項１】
放熱体と、
該放熱体の載置面に絶縁部材を介して載置される導電体と、
該載置面にて、前記導電体が載置される場所とは異なる場所に載置されている断熱部材と、
前記導電体に電気的に接続され、発熱する回路部品と、
回路基板と、
該回路基板上に配置され、該回路基板を介して前記断熱部材と対向し、前記回路部品の動作を制御する制御信号を出力する制御素子と
を備える回路装置。
【請求項２】
前記断熱部材はシリカエアロゲル粒子を含む不織布によって構成される
請求項１に記載の回路装置。
【請求項３】
前記放熱体の前記載置面の周縁に沿って配置され、前記回路部品、回路基板及び制御素子を囲む枠体と、
前記放熱体の前記載置面に対向し、該枠体の内側を覆う蓋体と
を備え、
前記導電体、回路部品、回路基板及び制御素子は前記載置面及び蓋体間に配置されている
請求項１又は請求項２に記載の回路装置。
【請求項４】
前記導電体の数は２以上であり、
前記回路部品は、２つの前記導電体に電気的に接続される半導体スイッチであり、
前記制御信号は、前記回路部品のオン又はオフを指示する信号である
請求項１から請求項３のいずれか１つに記載の回路装置。
【発明の詳細な説明】
【技術分野】
【０００１】
本発明は回路装置に関する。
【背景技術】
【０００２】
車両には、バッテリと、ヘッドランプ又はワイパー等の負荷とに接続される電気接続箱（例えば、特許文献１を参照）が搭載されている。特許文献１に記載の電気接続箱では、放熱体の載置面に、絶縁部材を介して、板状をなす複数の導電体が載置され、複数の導電体夫々の一方の板面は載置面に対向している。複数の導電体中の２つの導電体夫々に半導体スイッチの一端及び他端が接続されている。半導体スイッチの一端は、２つの導電体中の一方を介してバッテリに接続され、半導体スイッチの他端は、２つの導電体中の他方を介して負荷に接続されている。
【０００３】
複数の導電体の他方の板面に回路基板が配置され、回路基板の一方の板面は複数の導電体の他方の板面に対向している。回路基板の他方の板面には、制御素子が配置され、制御素子は、半導体スイッチのオン又はオフを指示する制御信号を出力する。半導体スイッチのオンを指示する制御信号を制御素子が出力した場合、半導体スイッチはオンに切替わり、バッテリから負荷に電力が供給され、半導体スイッチを介して電流が流れる。半導体スイッチのオフを指示する制御信号を制御素子が出力した場合、半導体スイッチはオフに切替わり、バッテリから負荷への電力供給が停止され、半導体スイッチを介して流れる電流が遮断される。
【０００４】
半導体スイッチを介して電流が流れている場合、半導体スイッチは発熱する。半導体スイッチから発生した熱は、導電体及び放熱体の順に伝導し、放熱体から放出される。
【先行技術文献】
【特許文献】
【０００５】
【特許文献１】特開２００３−１６４０４０号公報
【発明の概要】
【発明が解決しようとする課題】
【０００６】
特許文献１に記載の電気接続箱では、放熱体、導電体、回路基板及び制御素子の順に配置されている。このため、半導体スイッチから発生した熱は、導電体及び回路基板を介して制御素子に伝導する。従って、半導体スイッチの温度が上昇した場合、制御素子の温度は、半導体スイッチの温度の上昇速度と略同じ速度で上昇する。
【０００７】
制御素子の耐熱性は弱いため、正常な動作が確保される半導体スイッチの温度の上限値は、通常、正常な動作が確保される制御素子の温度の上限値よりも高い。この場合、半導体スイッチの動作は、半導体スイッチの温度が制御素子の温度の上限値以上にならないように制御される。例えば、制御素子は、半導体スイッチの温度が、制御素子の温度の上限値に近い温度になった場合、半導体スイッチのオフを指示する制御信号を出力し、半導体スイッチをオフに切替え、半導体スイッチを介した通電を停止する。
【０００８】
以上のように、特許文献１に記載の電気接続箱には、許容される半導体スイッチの温度の上限値が、実際の半導体スイッチの温度の上限値よりも低いという問題がある。
【０００９】
このような問題が生じる回路装置は、特許文献１に記載の電気接続箱に限定されない。放熱体、導電体、回路基板及び制御素子の順に配置され、導電体に、発熱する回路部品が接続された回路装置には、同様の問題が生じる。
【００１０】
この回路装置では、制御素子は回路部品の動作を制御する制御信号を出力し、正常な動作が確保される回路部品の温度の上限値は、正常な動作が確保される制御素子の温度の上限値よりも低い。このため、許容される回路部品の温度の上限値が、実際の回路部品の温度の上限値よりも低い。
【００１１】
本発明は斯かる事情に鑑みてなされたものであり、その目的とするところは、許容される回路部品の温度の上限値が高い回路装置を提供することにある。
【課題を解決するための手段】
【００１２】
本発明の一態様に係る回路装置は、放熱体と、該放熱体の載置面に絶縁部材を介して載置される導電体と、該載置面にて、前記導電体が載置される場所とは異なる場所に載置されている断熱部材と、前記導電体に電気的に接続され、発熱する回路部品と、回路基板と、該回路基板上に配置され、該回路基板を介して前記断熱部材と対向し、前記回路部品の動作を制御する制御信号を出力する制御素子とを備える。
【発明の効果】
【００１３】
上記の態様によれば、許容される回路部品の温度の上限値が高い。
【図面の簡単な説明】
【００１４】
【図１】本実施形態における電気接続箱の回路図である。
【図２】電気接続箱の斜視図である。
【図３】図２におけるＡ−Ａ線の断面図である。
【図４】蓋体が外された電気接続箱の斜視図である。
【図５】蓋体が外された電気接続箱の平面図である。
【図６】図５におけるＢ−Ｂ線の断面図である。
【図７】図６におけるＣ部分の拡大図である。
【図８】電気接続箱の製造の説明図である。
【発明を実施するための形態】
【００１５】
［本発明の実施形態の説明］
最初に本発明の実施態様を列挙して説明する。以下に記載する実施形態の少なくとも一部を任意に組み合わせてもよい。
【００１６】
（１）本発明の一態様に係る回路装置は、放熱体と、該放熱体の載置面に絶縁部材を介して載置される導電体と、該載置面にて、前記導電体が載置される場所とは異なる場所に載置されている断熱部材と、前記導電体に電気的に接続され、発熱する回路部品と、回路基板と、該回路基板上に配置され、該回路基板を介して前記断熱部材と対向し、前記回路部品の動作を制御する制御信号を出力する制御素子とを備える。
【００１７】
上記の一態様にあっては、制御素子は回路基板を介して断熱部材と対向しているので、回路部品から発生した熱は、導電体又は放熱体を介して制御素子に伝導することは殆どない。このため、回路部品の温度が上昇した場合であっても、制御素子の温度が上昇することは殆どない。結果、許容される回路部品の温度の上限値は、正常な動作が確保される制御素子の温度の上限値によって制限されず、高い。
【００１８】
（２）本発明の一態様に係る回路装置では、前記断熱部材はシリカエアロゲル粒子を含む不織布によって構成される。
【００１９】
上記の一態様にあっては、断熱部材がシリカエアロゲル粒子を含む不織布で構成されているため、導電体又は放熱体から断熱部材を介して制御素子に熱がより伝導しにくい。
【００２０】
（３）本発明の一態様に係る回路装置は、前記放熱体の前記載置面の周縁に沿って配置され、前記回路部品、回路基板及び制御素子を囲む枠体と、前記放熱体の前記載置面に対向し、該枠体の内側を覆う蓋体とを備え、前記導電体、回路部品、回路基板及び制御素子は前記載置面及び蓋体間に配置されている。
【００２１】
上記の一態様にあっては、回路部品が放熱体、枠体及び蓋体によって覆われているので、回路部品に接触している空気は装置外に放出されにくい。このため、回路部品から発生した熱の大部分が導電体及び放熱体を伝導する。枠体及び蓋体が設けられている構成では、断熱部材がより効果的に作用する。
【００２２】
（４）本発明の一態様に係る回路装置では、前記導電体の数は２以上であり、前記回路部品は、２つの前記導電体に電気的に接続される半導体スイッチであり、前記制御信号は、前記回路部品のオン又はオフを指示する信号である。
【００２３】
上記の一態様にあっては、２つの導電体と、回路部品として機能する半導体スイッチを介して電流が流れる。半導体スイッチがオンである場合、２つの導電体を介して電流が流れることが可能であり、半導体スイッチがオフである場合、２つの導体を介して電流が流れることはない。
【００２４】
［本発明の実施形態の詳細］
本発明の実施形態に係る電気接続箱（回路装置）の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２５】
図１は本実施形態における電気接続箱１の回路図である。電気接続箱１は、好適に車両に搭載されており、導電体２０，２１，２２、６つのＮチャネル型のＦＥＴ(Field Effect Transistor)３，４、駆動回路５０及びマイクロコンピュータ（以下、マイコンという）５１を備える。導電体２０，２１，２２夫々は、所謂バスバーであり、例えば、銅合金製である。電気接続箱１は回路装置として機能する。
【００２６】
ＦＥＴ３はＦＥＴ本体３ａ及びダイオード３ｂを有し、ダイオード３ｂはＦＥＴ本体３ａのドレイン及びソース間に接続されている。ＦＥＴ４はＦＥＴ本体４ａ及びダイオード４ｂを有し、ダイオード４ｂはＦＥＴ本体４ａのドレイン及びソース間に接続されている。ダイオード３ｂ，４ｂは寄生ダイオードである。
【００２７】
３つのＦＥＴ本体３ａは導電体２０，２１間に並列に接続され、３つのＦＥＴ本体４ａは導電体２１，２２間に並列に接続されている。３つのＦＥＴ本体３ａのドレインは導電体２０に接続され、６つのＦＥＴ本体３ａ，４ａのソースは導電体２１に接続され、３つのＦＥＴ４ａのドレインは導電体２２に接続されている。６つのＦＥＴ本体３ａ，４ａのゲートは駆動回路５０に接続されている。駆動回路５０には、更に、マイコン５１が接続されている。
ＦＥＴ３，４夫々は半導体スイッチとして機能する。駆動回路５０は、６つのＦＥＴ３，４について、固定電位を基準としたゲートの電圧を調整する。これにより、駆動回路５０は、６つのＦＥＴ３，４をオン又はオフに切替える。
【００２８】
６つのＦＥＴ３，４がオンである場合、導電体２０，２１，２２及び６つのＦＥＴ３，４を介して電流が流れることが可能である。６つのＦＥＴ３，４がオフである場合、導電体２０，２１，２２及び６つのＦＥＴ３，４を介して電流が流れることはない。
ＦＥＴ３においてドレイン及びソース間に電流が流れた場合、ＦＥＴ３は発熱する。同様に、ＦＥＴ４においてドレイン及びソース間に電流が流れた場合、ＦＥＴ４は発熱する。ＦＥＴ３，４夫々は回路部品としても機能する。
【００２９】
３つのダイオード３ｂのアノードは、導電体２１を介して、３つのダイオード４ｂのアノードに接続されている。このため、６つのＦＥＴ３，４がオフである場合、６つのダイオード３ｂ，４ｂを介して電流が流れることはない。
【００３０】
マイコン５１には、６つのＦＥＴ３，４のオンを指示するオン信号と、６つのＦＥＴ３，４のオフを指示するオフ信号とが入力される。マイコン５１は、入力された信号に応じて、駆動回路５０に６つのＦＥＴ３，４のオン又はオフを指示する制御信号を出力する。
【００３１】
具体的に、マイコン５１は、オン信号が入力された場合、６つのＦＥＴ３，４のオンを指示する制御信号を駆動回路５０に出力し、駆動回路５０は、６つのＦＥＴ３，４をオンに切替える。また、マイコン５１は、オフ信号が入力された場合、６つのＦＥＴ３，４のオフを指示する制御信号を駆動回路５０に出力し、駆動回路５０は、６つのＦＥＴ３，４をオフに切替える。
制御信号は、６つのＦＥＴ３，４夫々の動作を制御するための信号である。
【００３２】
図２は電気接続箱１の斜視図である。電気接続箱１は、更に、箱体状をなす収容体６を備え、６つのＦＥＴ３，４、駆動回路５０及びマイコン５１は収容体６内に収容されている。収容体６は、矩形状の枠体６０と蓋体６１とを有する。蓋体６１は、電気接続箱１の上側に配置され、枠体６０の内側に嵌め込まれ、枠体６０の内側を覆っている。
【００３３】
導電体２０，２２は板状をなす。導電体２０の板面は、枠体６０の一辺部の上側を覆い、導電体２２の板面は、枠体６０の他辺部の上側を覆っている。導電体２０が覆っている枠体６０の一辺部と、導電体２２が覆っている枠体６０の一辺部とは、左右方向に並置され、前後方向に延びている。従って、導電体２０が覆っている枠体６０の一辺部は、導電体２２が覆っている枠体６０の一辺部に対向している。以下では、導電体２０が覆っている枠体６０の一辺部を左辺部と記載し、導電体２２が覆っている枠体６０の一辺部を右辺部と記載する。
【００３４】
枠体６０の左辺部の上面から、円柱状のスタッドボルト５２が上側に突出している。導電体２０には、上下方向に貫通する貫通孔２０ａが設けられており、スタッドボルト５２は、貫通孔２０ａを挿通している。同様に、枠体６０の右辺部の上面から、円柱状のスタッドボルト５３が上側に突出している。導電体２０には、上下方向に貫通している貫通孔２２ａが設けられており、スタッドボルト５３は、貫通孔２２ａを挿通している。２つのスタッドボルト５２，５３は左右方向に対向しており、スタッドボルト５２，５３夫々には螺子溝が設けられている。
【００３５】
スタッドボルト５２には、開口を有する図示しない端子が取付けられる。具体的には、スタッドボルト５２を、端子の開口に挿通させた状態でスタッドボルト５２に図示しないナットを締める。これにより、導電体２０と端子とが接触し、導電体２０はこの端子に電気的に接続する。
同様に、スタッドボルト５３には、開口を有する図示しない端子が取付けられる。具体的には、スタッドボルト５３を、端子の開口に挿通させた状態でスタッドボルト５３に図示しないナットを締める。これにより、導電体２２と端子とが接触し、導電体２２はこの端子に電気的に接続する。
【００３６】
スタッドボルト５２に取付けられた端子は、例えばバッテリの正極に接続され、スタッドボルト５３に取付けられた端子は、例えば、負荷の一端に接続されている。電気接続箱１を介して、バッテリから負荷に電力が供給される。
電気接続箱１はコネクタ５４を有し、コネクタ５４には、図示しない信号線の端部に設けられた図示しないコネクタが嵌め込まれる。オン信号及びオフ信号は、信号線を介して電気接続箱１のマイコン５１に入力される。
【００３７】
図３は、図２におけるＡ−Ａ線の断面図である。枠体６０内には、板状の放熱体２３が収容されている。放熱体２３は、例えばアルミニウム製である。枠体６０は放熱体２３の上面２３ａにおける左縁部及び右縁部を覆っている。導電体２０は複数回屈曲されており、導電体２０の板面は、枠体６０の左辺部の上面だけではなく、枠体６０内における放熱体２３の上面２３ａの左側部分と、枠体６０の左辺部の内面とを覆っている。同様に、導電体２２は複数回屈曲されており、導電体２２の板面は、枠体６０の右辺部の上面だけではなく、枠体６０内における放熱体２３の上面２３ａの右側部分と、枠体６０の右辺部の内面とを覆っている。
【００３８】
導電体２１も板状をなす。放熱体２３の上面２３ａにおいて、導電体２０，２２の間に導電体２１が載置されている。放熱体２３の上面２３ａは、導電体２０，２１，２２の下面に対向しており、接着剤として機能する絶縁部材２４（図７参照）によって、放熱体２３の上面２３ａは導電体２０，２１，２２の下面に接着している。
以上のように、放熱体２３の上面２３ａに絶縁部材２４を介して導電体２０，２１，２２が載置されている。放熱体２３の上面２３ａは載置面として機能する。
【００３９】
枠体６０内において、導電体２０，２１，２２の上側には、チップ状のＦＥＴ３，４が配置されている。前述したように、ＦＥＴ３のドレインは導電体２０に電気的に接続され、ＦＥＴ３，４のソースは導電体２１に電気的に接続され、ＦＥＴ４のドレインは導電体２２に電気的に接続されている。枠体６０内において、導電体２０，２１，２２の上面には、回路基板２５が配置されている。回路基板２５の下面は導電体２０，２１，２２の上面と対向しており、回路基板２５には、６つの開口２５ａ（図４参照）が設けられている。６つのＦＥＴ３，４夫々は、６つの開口２５ａを挿通している。
【００４０】
ＦＥＴ３から発生した熱は、導電体２０、絶縁部材２４及び放熱体２３の順に伝導すると共に、導電体２１、絶縁部材２４及び放熱体２３の順に伝導する。ＦＥＴ４から発生した熱は、導電体２１、絶縁部材２４及び放熱体２３の順に伝導すると共に、導電体２２、絶縁部材２４及び放熱体２３の順に伝導する。放熱体２３に伝導した熱は、放熱体２３から電気接続箱１の外側に放出される。
【００４１】
図４は、蓋体６１が外された電気接続箱１の斜視図であり、図５は、蓋体６１が外された電気接続箱１の平面図である。回路基板２５は、矩形状をなし、前後方向に延びている。回路基板２５において、６つの開口２５ａは格子状に設けられている。３つの開口２５ａが前後方向に並設されており、２つの開口２５ａが左右方向に並設されている。
【００４２】
３つのＦＥＴ３夫々は、回路基板２５の左側に設けられた３つの開口２５ａ内に配置されている。３つのＦＥＴ４夫々は、回路基板２５の右側に設けられた３つの開口２５ａ内に配置されている。ＦＥＴ３，４のゲートは、回路基板２５の上面に設けられた図示しない導電パターンに電気的に接続している。
【００４３】
マイコン５１は、チップ状をなし、回路基板２５の上面の前側に配置されている。また、回路基板２５の上面の前側にコネクタ５４が設けられている。駆動回路５０は回路基板２５の上面に形成されている。なお、図４及び図５において、駆動回路５０の図示を省略している。
【００４４】
マイコン５１は、回路基板２５の上面に設けられた導電パターンによって、駆動回路５０と、コネクタ５４とに各別に電気的に接続されている。駆動回路５０は、回路基板２５の上面に設けられた導電パターンによって、６つのＦＥＴ３，４のゲートに電気的に接続されている
【００４５】
前述したように、コネクタ５４には信号線のコネクタが嵌め込まれる。マイコン５１には、信号線及び導電パターンを介して、オン信号及びオフ信号が入力される。また、導電パターンを介して、マイコン５１から駆動回路５０に制御信号が入力される。更に、駆動回路５０は、導電パターンを介して、６つのＦＥＴ３，４のゲートに電圧を印加し、固定電位を基準としたこれらのゲートの電圧を調整する。
【００４６】
前述したように、マイコン５１は、オン信号が入力された場合、６つのＦＥＴ３，４のオンを指示する制御信号を駆動回路５０に出力し、駆動回路５０は６つのＦＥＴ３，４をオンに切替える。マイコン５１は、オフ信号が入力された場合、６つのＦＥＴ３，４のオフを指示する制御信号を駆動回路５０に出力し、駆動回路５０は６つのＦＥＴ３，４をオフに切替える。
図３及び図４に示すように、蓋体６１は放熱体２３の上面２３ａに対向し、６つのＦＥＴ３，４、回路基板２５及びマイコン５１を覆っている。６つのＦＥＴ３，４、３つの導電体２０，２１，２２、回路基板２５及びマイコン５１は、放熱体２３の上面２３ａ及び蓋体６１間に配置されている。
【００４７】
図６は、図５におけるＢ−Ｂ線の断面図である。図４、図５及び図６に示すように、枠体６０内において、放熱体２３の上面２３ａの前側に、矩形シート状の断熱部材２６が配置されている。断熱部材２６は、放熱体２３の上面２３ａにおいて、３つの導電体２０，２１，２２が載置されている場所とは異なる場所に載置されている。断熱部材２６は、シリカエアロゲル粒子を含む不織布によって構成されている。回路基板２５は、３つの導電体２０，２１，２２よりも前側に延びており、回路基板２５の延設部分は断熱部材２６の上側に配置されている。回路基板２５の延設部分の上面にはマイコン５１が配置され、マイコン５１は、回路基板２５を介して断熱部材２６と対向している。マイコン５１は制御素子として機能する。
【００４８】
また、図３及び図６に示すように、枠体６０は放熱体２３の上面２３ａの周縁に沿って配置され、６つのＦＥＴ３，４、回路基板２５及びマイコン５１を囲んでいる。
【００４９】
図７は、図６におけるＣ部分の拡大図である。前述したように、導電体２０，２１，２２の下面は、接着剤として機能する絶縁部材２４によって、放熱体２３の上面２３ａと接着しており、絶縁部材２４は層の形状をなしている。具体的には、放熱体２３の上面２３ａに絶縁部材２４が塗布され、絶縁部材２４の上側に導電体２０，２１，２２が配置される。この状態で、絶縁部材２４を加熱する。これにより、絶縁部材２４は硬化し、導電体２０，２１，２２夫々は絶縁部材２４によって放熱体２３の上面２３ａに接着する。
【００５０】
絶縁部材２４に電流が流れることはないため、導電体２０，２１，２２から放熱体２３に電流が流れることはない。絶縁部材２４は、放熱性を有する。このため、導電体２０，２１，２２夫々から絶縁部材２４を介して放熱体２３に熱が伝導する。絶縁部材２４は、例えば、熱伝導性フィラを含むエポキシ樹脂製である。熱伝導性フィラとして、例えば、酸化アルミニウムが用いられる。
【００５１】
以上のように構成された電気接続箱１では、マイコン５１が回路基板２５を介して断熱部材２６と対向しているので、６つのＦＥＴ３，４から発生した熱は、導電体２０，２１，２２中の１つ又は放熱体２３を介して、マイコン５１に伝導することは殆どない。このため、６つのＦＥＴ３，４の温度が上昇した場合であっても、マイコン５１の温度が上昇することは殆どない。
【００５２】
マイコン５１の耐熱性は弱いため、正常な動作が確保されるＦＥＴ３，４の温度の上限値は、正常な動作が確保されるマイコン５１の温度の上限値よりも高い。しかしながら、６つのＦＥＴ３，４の温度が上昇した場合であっても、マイコン５１の温度が上昇することは殆どないので、許容されるＦＥＴ３，４の温度の上限値は、正常な動作が確保されるマイコン５１の温度の上限値によって制限されず、高い。
【００５３】
導電体２０，２１，２２及び放熱体２３は金属によって構成されているため、これらの熱伝導率は高い。一方で、回路基板２５では、絶縁板上に導電パターンを形成されており、絶縁板の熱伝導率は、導電体２０，２１，２２及び放熱体２３の熱伝導率よりも十分に低い。このため、６つのＦＥＴ３，４から回路基板２５を介してマイコン５１に伝導する熱の量は殆どない。
【００５４】
電気接続箱１では、正常な動作が確保される温度、即ち、適正温度の上限値が、ＦＥＴ３，４の適正温度の上限値よりも低い低温素子が、マイコン５１だけではない可能性がある。低温素子として、制御ＩＣ(Integrated Circuit)又はアルミニウム電解コンデンサ等が挙げられる。低温素子がマイコン５１だけではない場合、例えば、駆動回路５０に低温素子が含まれる場合、マイコン５１を除く他の低温素子も、回路基板２５を介して断熱部材２６と対向するように、回路基板２５の上面に配置されることが好ましい。
【００５５】
また、前述したように、断熱部材２６はシリカエアロゲル粒子を含む不織布で構成されるので、断熱部材２６の熱伝導率は、空気の熱伝導率よりも低い。結果、導電体２０，２１，２２及び放熱体２３中の少なくとも１つを介して、マイコン５１に熱が伝導しにくい。
【００５６】
更に、６つのＦＥＴ３，４、回路基板２５、駆動回路５０及びマイコン５１は、放熱体２３、枠体６０及び蓋体６１によって覆われている。このため、６つのＦＥＴ３，４に接触している空気は電気接続箱１の外側に放出されにくい。従って、６つのＦＥＴ３，４から発生した熱の大部分が導電体２０，２１，２２中の１つと、放熱体２３とを伝導する。このため、枠体６０及び蓋体６１が設けられている構成では、断熱部材２６がより効果的に作用する。
なお、６つのＦＥＴ３，４、回路基板２５、駆動回路５０及びマイコン５１は、放熱体２３、枠体６０及び蓋体６１等によって液密に封止されている。
【００５７】
次に、電気接続箱１の製造方法を説明する。図８は電気接続箱１の製造の説明図である。まず、銅合金製の金属板に対して、切断及び折り曲げを行うことによって、導電体２０，２１，２２を製造する。次に、導電体２０，２１，２２に回路基板２５を貼り付け、６つのＦＥＴ３，４夫々を、回路基板２５に設けられた６つの開口２５ａ内に取付ける。その後、マイコン５１を含む複数の素子を回路基板２５の上面に取付ける。次に、放熱体２３の上面２３ａに、接着剤として機能する絶縁部材２４を塗布し、放熱体２３を、２つのスタッドボルト５２，５３が設けられている枠体６０内に取付ける。
【００５８】
次に、放熱体２３の上面２３ａの前側に断熱部材２６を配置し、マイコン５１が回路基板２５を介して断熱部材２６と対向するように、３つの導電体２０，２１，２２及び回路基板２５を放熱体２３の上側に配置する。その後、絶縁部材２４を加熱することによって、絶縁部材２４を硬化させる。これにより、導電体２０，２１，２２の下面が放熱体２３の上面２３ａに接着する。その後、蓋体６１を上側から枠体６０内に嵌め込む。
【００５９】
なお、３つのＦＥＴ３のソースが導電体２０に接続され、６つのＦＥＴ３，４のドレインが導電体２１に接続され、３つのＦＥＴ４のソースが導電体２２に接続されてもよい。この場合であっても、６のＦＥＴ３，４がオフである限り、６つのダイオード３ｂ，４ｂを介して電流が流れることはない。
【００６０】
また、ＦＥＴ３，４夫々の数は、３に限定されず、１、２又は４以上であってもよい。また、ＦＥＴ３の数はＦＥＴ４の数と一致していなくてもよい。更に、ＦＥＴ３，４夫々のタイプはＮチャネル型に限定されない。ＦＥＴ３，４夫々のタイプはＰチャネル型であってもよい。ただし、ＦＥＴ３，４のタイプは一致している。
【００６１】
また、ＦＥＴ３，４は半導体スイッチとして機能すればよいため、ＦＥＴ３，４の代わりに、バイポーラトランジスタ又はＩＧＢＴ(Insulated Gate Bipolar Transistor)等を用いてもよい。半導体スイッチ内において、寄生ダイオードが形成されていない場合においては、半導体スイッチがオフであるとき、半導体スイッチを介して電流が流れることはない。このため、半導体スイッチ内において、寄生ダイオードが形成されていない場合、導電体２１，２２間に電気的に接続される半導体スイッチを設けなくてもよい。この場合、導電体２１，２２は、一体化され、１つの導電体として扱われる。更に、電流が導電体２２，２１，２０の順に流れる可能性がない場合、電気接続箱１内にＦＥＴ４を設ける必要はない。この場合も、導電体２１，２２は、一体化され、１つの導電体として扱われる。導電体２１，２２が１つの導電体として扱われた場合、導電体の数は２つである。
【００６２】
断熱部材２６は、熱伝導率が十分に低い部材であればよいので、シリカエアロゲル粒子を含む不織布で構成されていなくてもよい。また、導電体２０，２１，２２に接続される回路部品は、半導体スイッチに限定されず、発熱する部品であればよい。更に、マイコン５１は、制御信号を出力する制御素子として機能すればよい。このため、マイコン５１の代わりに、制御信号を出力する素子を用いてもよい。また、導電体の数は、２又は３に限定されず、１又は４以上であってもよい。
【００６３】
開示された本実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００６４】
１  電気接続箱（回路装置）
３，４  ＦＥＴ（回路部品、半導体スイッチ）
３ａ，４ａ  ＦＥＴ本体
３ｂ，４ｂ  ダイオード
６  収容体
２０，２１，２２  導電体
２０ａ，２２ａ  貫通孔
２３  放熱体
２３ａ  上面（載置面）
２４  絶縁部材
２５  回路基板
２５ａ  開口
２６  断熱部材
５０  駆動回路
５１  マイコン（制御素子）
５２，５３  スタッドボルト
５４  コネクタ
６０  枠体
６１  蓋体
【図１】
2018170461.tif 000003
【図２】
2018170461.tif 000004
【図３】
2018170461.tif 000005
【図４】
2018170461.tif 000006
【図５】
2018170461.tif 000007
【図６】
2018170461.tif 000008
【図７】
2018170461.tif 000009
【図８】
2018170461.tif 000010